(57)【要約】【課題】災害報知器等からの災害発生予測通知を受けてから実際にその災害により動作停止となるまでの間に、送信待ちの文書やアドレス帳等のデータがなくなることを防ぐ等の処理を行う画像形成装置および画像形成システムを提供する。【解決手段】事業所５で火災が発生すると、火災報知器１１が火災発生を検知し接続される複合機１００に火災発生通知を通知する。そして、火災発生通知を受信した複合機１００は、災害発生用のジョブ制御を開始して、受信して出力しても焼失されるであろう着信ジョブの受信を行わず、システムデータ等をデータセンタのサーバ６に転送し、送信中であったジョブは、ＥＮＵＭサーバ７を使用して最短時間で通信完了する通信手段を決定してその通信手段で送信する。火災により動作停止となるまで、複合機１００は送信ジョブの送信を続ける。【選択図】図１
2011010067.tif 000002
【特許請求の範囲】
【請求項１】
災害発生を検知する災害発生検出装置から災害発生の通知を受信する受信手段と、
前記受信手段が前記災害発生の通知を受信すると、災害発生用の画像形成処理の制御を開始し前記災害によって自装置が動作停止となるまで該画像形成処理の制御を継続する画像形成処理制御継続手段と
を具備する画像形成装置。
【請求項２】
前記画像形成処理制御継続手段は、
前記受信手段で前記通知を受信した際に実行中であった画像形成処理を停止する
請求項１記載の画像形成装置。
【請求項３】
前記画像形成処理制御継続手段は、
実行中であったため停止された、画像を送信しようとする画像形成処理の宛先情報を取得する取得手段と、
前記取得手段で取得した宛先情報に基づき、自装置に接続されるＥＮＵＭサーバより該宛先が通信可能な通信手段を取得する取得手段と、
前記取得手段で取得した通信手段の中から、当該画像を送信しようとする画像形成処理が送信に費やす転送時間の最も短くなる通信手段を選択する選択手段と、
前記選択手段で選択された通信手段によって、当該画像を送信しようとする画像形成処理を再開する送信再開手段と
を具備する請求項２記載の画像形成装置。
【請求項４】
前記選択手段は、
前記画像を送信しようとする画像形成処理に際して画像変換処理が必要な場合には該画像変換処理に必要な時間を含めて、当該画像形成処理により画像が送信先に送信される転送時間を算出する
請求項３記載の画像形成装置。
【請求項５】
前記画像形成処理制御継続手段は、
自装置に送られる画像形成処理を受信しないように制御する
請求項１乃至４いずれか記載の画像形成装置。
【請求項６】
前記画像形成処理制御継続手段は、
ポーリングによる画像形成処理を禁止するように制御する
請求項１乃至５いずれか記載の画像形成装置。
【請求項７】
前記画像形成処理制御継続手段は、
自装置に接続される情報記憶サーバに、自装置内に記憶する情報を転送する
請求項１乃至６いずれか記載の画像形成装置。
【請求項８】
転送する前記データは、
通信相手の宛先データ、または、自装置のシステムデータ、または、通信ログ、または、画像形成処理履歴、または、未印刷の印刷データのいずれかである
請求項７記載の画像形成装置。
【請求項９】
災害発生を検知する災害発生検出装置と、前記災害発生装置が接続される画像形成装置とを備え、
前記災害発生検出装置は、
前記画像形成装置に被害が及ぼすと予想される災害の発生を前記画像形成装置に通知する災害発生通知手段
を具備し、
前記画像形成装置は、
前記災害発生通知手段による前記災害発生の通知を受信する受信手段と、
前記受信手段が前記災害発生の通知を受信すると、災害発生用の画像形成処理の制御を開始し前記災害によって自装置が動作停止となるまで該画像形成処理の制御を継続する画像形成処理制御継続手段と
を具備する画像形成システム。
【発明の詳細な説明】
【技術分野】
【０００１】
本発明は、画像形成装置および画像形成システムに関する。
【背景技術】
【０００２】
火災等の災害への対応機能を備えた画像形成装置が存在する。
【０００３】
特許文献１には、印刷装置内に本体とは独立した系で通信ユニットと電源管理ユニットそして熱センサ及び発煙感知センサを備えることにより、一定時間以上規定温度を超えた状態が続いたり発煙を検知した場合に印刷装置の主電源を切って管理者に通知を行うことによって火災などの災害を防止する印刷装置が提案されている。
【先行技術文献】
【特許文献】
【０００４】
【特許文献１】特開２００３−１５４７３９号公報
【発明の概要】
【発明が解決しようとする課題】
【０００５】
しかし、大規模な火災が発生して画像形成装置も燃えてしまうと、ＨＤＤ（Hard Disk Drive）に記憶する送信待ちの文書や顧客データ等が消える。
【０００６】
また、新たに受信して印刷出力した紙文書は結局火災により焼失してしまう可能性が高い。
【０００７】
そこで、この発明は、災害報知器等からの災害発生予測通知を受けてから実際にその災害により動作停止となるまでの間に、送信待ちの文書やアドレス帳等のデータがなくなることを防ぐ等の処理を行う画像形成装置および画像形成システムを提供することを目的とする。
【課題を解決するための手段】
【０００８】
上記目的を達成するために、請求項１の発明の画像形成装置は、災害発生を検知する災害発生検出装置から災害発生の通知を受信する受信手段と、前記受信手段が前記災害発生の通知を受信すると、災害発生用の画像形成処理の制御を開始し前記災害によって自装置が動作停止となるまで該画像形成処理の制御を継続する画像形成処理制御継続手段とを具備するように構成される。
【０００９】
また、請求項２の発明は、請求項１の発明において、前記画像形成処理制御継続手段は、前記受信手段で前記通知を受信した際に実行中であった画像形成処理を停止するように構成される。
【００１０】
また、請求項３の発明は、請求項２の発明において、前記画像形成処理制御継続手段は、実行中であったため停止された、画像を送信しようとする画像形成処理の宛先情報を取得する取得手段と、前記取得手段で取得した宛先情報に基づき、自装置に接続されるＥＮＵＭサーバより該宛先が通信可能な通信手段を取得する取得手段と、前記取得手段で取得した通信手段の中から、当該画像を送信しようとする画像形成処理が送信に費やす転送時間の最も短くなる通信手段を選択する選択手段と、前記選択手段で選択された通信手段によって、当該画像を送信しようとする画像形成処理を再開する送信再開手段とを具備するように構成される。
【００１１】
また、請求項４の発明は、請求項３の発明において、前記選択手段は、前記画像を送信しようとする画像形成処理に際して画像変換処理が必要な場合には該画像変換処理に必要な時間を含めて、当該画像形成処理により画像が送信先に送信される転送時間を算出するように構成される。
【００１２】
また、請求項５の発明は、請求項１乃至４のいずれかの発明において、前記画像形成処理制御継続手段は、自装置に送られて画像を印刷する画像形成処理を受信しないように制御するように構成される。
【００１３】
また、請求項６の発明は、請求項１乃至５のいずれかの発明において、前記画像形成処理制御継続手段は、ポーリングによる画像形成処理を禁止するように制御するように構成される。
【００１４】
また、請求項７の発明は、請求項１乃至６のいずれかの発明において、前記画像形成処理制御継続手段は、自装置に接続される情報記憶サーバに、自装置内に記憶する情報を転送するように構成される。
【００１５】
また、請求項８の発明は、請求項７の発明において、転送する前記データは、通信相手の宛先データ、または、自装置のシステムデータ、または、通信ログ、または、画像形成処理履歴、または、未印刷の印刷データのいずれかであるように構成される。
【００１６】
また、請求項９の発明の画像形成システムは、災害発生を検知する災害発生検出装置と、前記災害発生装置が接続される画像形成装置とを備え、前記災害発生検出装置は、前記画像形成装置に被害が及ぼすと予想される災害の発生を前記画像形成装置に通知する災害発生通知手段を具備し、前記画像形成装置は、前記災害発生通知手段による前記災害発生の通知を受信する受信手段と、前記受信手段が前記災害発生の通知を受信すると、災害発生用の画像形成処理の制御を開始し前記災害によって自装置が動作停止となるまで該画像形成処理の制御を継続する画像形成処理制御継続手段とを具備するように構成される。
【発明の効果】
【００１７】
請求項１の発明によれば、災害発生が検知されると、災害発生用の画像形成処理の制御が行われる。
【００１８】
請求項２の発明によれば、災害発生が検知されると、実行中であった画像形成処理が停止される。
【００１９】
請求項３の発明によれば、災害発生が検知されると、最も高速に通信が完了する通信手段によって、画像送信を再開するという効果を奏する。
【００２０】
請求項４の発明によれば、災害発生が検知されると、画像変換処理時間も含めて最も高速に通信が完了する通信手段によって、画像送信が再開されるという効果を奏する。
【００２１】
請求項５の発明によれば、災害発生が検知されると、自装置に送られる画像形成処理を受信しない。
【００２２】
請求項６の発明によれば、災害発生が検知されると、ポーリングによる画像形成処理が行われない。
【００２３】
請求項７の発明によれば、災害発生が検知されると、記憶する情報がサーバに転送されるという効果を奏する。
【００２４】
請求項８の発明によれば、災害発生が検知されると、通信相手の宛先データ、または、自装置のシステムデータ、または、通信ログ、または、画像形成処理履歴、または、未印刷の印刷データのいずれかの情報がサーバに転送されるという効果を奏する。
【００２５】
請求項９の発明によれば、災害発生が検知されると、災害発生用の画像形成処理の制御が行われる。
【図面の簡単な説明】
【００２６】
【図１】図１は画像形成システム１の構成図である。
【図２】図２は複合機１００のハードウェア構成を示す図である。
【図３】図３はソフトウェアのモジュール構成を示す模式図である。
【図４】図４は複合機１００の処理を示すフローチャートである。
【図５】図５は図４のステップ４０８の内容を示すフローチャートである。
【図６】図６は転送時間算出テーブルを示す表である。
【発明を実施するための形態】
【００２７】
以下、本発明の実施例について添付図面を参照して詳細に説明する。
【００２８】
まず、画像形成システム１について図１を参照して説明する。
【００２９】
図１は、画像形成システム１の概略を示す構成図である。
【００３０】
画像形成システム１は、図１に示すように、事務所５内のイントラネット４がインターネット２に接続されて、更に、インターネット２にデータを蓄積するデータセンタのサーバ６とＥＮＵＭサーバ７とプレゼンスサーバ１３とが接続されて構成される。
【００３１】
データセンタのサーバ６は、複合機１００から転送される各種データを記憶するサーバである。
【００３２】
ＥＮＵＭサーバ７は、ENUMシステムで利用されるサーバであり、電話番号に対応したENUMのドメイン名を受け取ると、それに対応する通信手段やアドレスをNAPTRリソースレコードで返すサーバである。
【００３３】
プレゼンスサーバ１３は、端末の通信状態や通信アドレスを管理するサーバであり、プレゼンスサービスで使用される。
【００３４】
また、画像形成システム１は、イントラネット４に接続される複合機１００が公衆電話交換回線網であるＰＳＴＮ（Public Switched Telephone Networks）３に接続されて、ＰＳＴＮ３に事務所５以外の場所に存在するファクシミリ通信機８が接続されている。事務所５以外の場所でＰＳＴＮ３に接続されるファクシミリ通信機８は、ファクシミリ通信機能を有する複合機であってよい。ここでいう複合機（複合機１００を含む）は、用紙に画像形成する機能や、ファクシミリ通信機能などの機能を有する画像形成装置である。
【００３５】
画像形成システム１において、火災は事業所５で発生するものとして説明を行う。
【００３６】
事務所５にあるイントラネット４には、クライアントＰＣ９、サーバ１０、複合機１００、火災報知器１１などが接続されている。
【００３７】
クライアントＰＣ９は、一般的な事務作業や開発・研究業務に使用するもので、ＰＣプリント、DirectFax、蓄積文書のNet転送などの各種の処理をイントラネット４に接続される複合機１００に指示できる。
【００３８】
サーバ１０は、イントラネット４を構成するファイルサーバや認証サーバなどの各種サーバである。
【００３９】
複合機１００は、プリント、スキャニング、複写、ファクシミリ機能等を有する画像形成装置である。
【００４０】
また、複合機１００には、シリアルインタフェース１２１を介して、火災報知器１１とＩＣ（Integrated Circuit）カードリーダ１２とが接続されている。
【００４１】
火災報知器１１は、少なくとも熱センサ、煙センサ、炎センサ、音響装置及び無線LAN(LocalArea Network)接続装置を備え、火災や発煙を検知すると、音響装置で火災の発生を音とメッセージで報知すると共に予め設定された他の火災報知器にイントラネット４を介して火災の発生を通知する。火災報知器１１とイントラネット４とは無線LANで接続される。
【００４２】
ＩＣカードリーダ１２は、非接触ＩＣカードにより、接続される複合機１００の利用者を認証し、予め定められたセキュリティポリシに従って動作する。
【００４３】
このように構成される画像形成システム１では、事務所５で火災が発生すると、火災報知器１１がその火災を検知する。
【００４４】
そして、事務所５のイントラネット４に接続される複合機１００は、火が迫ってきて自装置が動作しなくなるまでの間に、実行中ジョブ、待ちジョブ、着信ジョブ、ポーリングジョブ等の制御や、文書データのデータセンタへの転送、プレゼンスサーバ１３に対する処理、送信系ジョブに対する制御などの処理を行う。  そうして、画像形成システム１では、火災（災害）による新規印刷文書の焼失や、蓄積データの焼失などを防ぐ。
【００４５】
ジョブとは、画像形成処理の処理要求である。  また、送信系ジョブは、送信相手に画像を形成させる意味があるので、広義の意味の画像形成処理に含まれる。
【００４６】
また、ポーリングジョブとは、画像形成の送信要求があるかどうかを、イントラネット４に接続されるクライアントＰＣ９や他の複合機１００に聞いて回り、画像形成の送信要求があるクライアントＰＣ９や他の複合機１００からその送信要求を受信して印刷出力する処理要求のことをいう。
【００４７】
次に、複合機１００のハードウェア構成について図２を参照して説明を行う。
【００４８】
図２は、複合機１００のハードウェア構成について示した図である。
【００４９】
複合機１００のハードウェア構成は、図２に示すように、印刷装置部１０１、読取装置部１０２、操作装置１０３がコントローラーボード１１０に接続されている。
【００５０】
印刷装置部１０１は、複合機１００で印刷出力を行うプリントエンジンを示す。
【００５１】
読取装置部１０２は、スキャナー機能を有し、配置される原稿の画像を読み取ることができる。
【００５２】
操作装置１０３は、複合機１００を使用するユーザとのインタフェース群であり、表示部１０４、操作部１０５を備えて構成される。
【００５３】
表示部１０４は、ＬＣＤ（Liquid Crystal Display：液晶ディスプレイ）などを示し、画像処理の設定情報を表示したり画像処理の状態を表示したりする。
【００５４】
操作部１０５は、ユーザからの指示を受け付けるボタンなどを示す。
【００５５】
なお、ユーザインタフェース１０３は、タッチパネルを用いる場合には、表示部１０４と操作部１０５とを一つにすることもできる。
【００５６】
また、コントローラーボード１１０は、ＣＰＵ（Central Processing Unit）１１１、ＲＯＭ（Reed Only Memory）１１２、ＲＡＭ（Random Access Memory）１１３、ＮＶＲＡＭ（Non Volatile RAM）１１４、ＨＤＤ（Hard Disk Drive）１１５、画像処理部１１６、操作装置インタフェース１１７、通信インタフェース（図面では通信ＩＦと記す）１１８、デバイスインタフェース（図面ではデバイスＩＦと記す）１１９がバス１３０に接続されて構成される。
【００５７】
ＣＰＵ１１１は、複合機１００が有する機能の主制御を行う。各処理部はＣＰＵ１１１による指示に基づいて処理を行い、その処理結果を指定された処理部に対して通知する。
【００５８】
ＲＯＭ１１２は、複合機１００の制御、ユーザ認証、画像処理等を行うための各種プログラムや、複合機１００が固有に持つ固有情報を記憶し、ＣＰＵ１１１からのプログラム実行命令などによってＮＶＲＡＭ１１４などに記憶された情報を参照しながら実行する。ここで、ＲＯＭ１１２に記憶される固有情報とは、複合機１００と物理的に識別するシリアル番号、製造番号、製造年月日、製造工場名などの書き換える必要のない情報を示す。
【００５９】
ＲＡＭ１１３は、ＲＯＭ１１２に記憶されたプログラムを動作させるための環境変数などのシステム変数や、画像処理を行うための一時的なデータ等を記憶する。
【００６０】
ＮＶＲＡＭ１１４は、電源を切っても記憶内容を保持することができる不揮発性メモリであって、ＲＯＭ１１２に記憶されたプログラムを動作させるための各種パラメータを記憶するほか、履歴情報などを記憶する。
【００６１】
ＨＤＤ１１５は、制御内容に基づいて画像処理を行う画像データを記憶する。
【００６２】
画像処理部１１６は、ＡＳＩＣ（Application Specific Integrated Circuit）などで構成され、画像データの伸張圧縮処理、各種の画像処理を行う。
【００６３】
操作装置インタフェース１１７は、ユーザによる値の入力、処理内容の指定などを装置に伝えることができる。
【００６４】
通信インタフェース１１８は、外部装置との通信を実現するためのインタフェース群であり、ＬＡＮ（LocalArea Network）１２０、シリアルインタフェース（図面ではSerialと記す）１２１、ＵＳＢ（Universal Serial Bus）１２２、モデム１２３を備えて構成される。
【００６５】
ＬＡＮ１２０は、イーサネット（登録商標）ケーブルを接続するＬＡＮポートなどを示し、IEEE（Institute of Electrical and Electronics Engineers：米国電気電子技術者協会）が定めた通信方式に従って通信を実現するためのポートである。
【００６６】
シリアルインタフェース１２１は、RS-232C規格に準拠したポートなどを示し、各種外部周辺装置への接続を実現する。
【００６７】
ＵＳＢ１２２は、共通のコネクタで、様々な周辺機器を接続することができるインタフェース規格であり、各種の周辺機器を接続するためのインタフェースである。
【００６８】
モデム１２３は、ファクシミリ通信のためにＰＳＴＮ４と接続される。
【００６９】
また、デバイスインタフェース１１９は、複合機１００を構成する各種機器との通信を実現する。
【００７０】
デバイスインタフェース１１９に接続される各種機器には、読取装置部１０２と印刷装置部１０１とがある。
【００７１】
このように構成される複合機１００のシリアルインタフェース１２１に、火災報知器１１を接続する接続ケーブルとＩＣカードリーダ１２を接続する接続ケーブルとが接続されている。
【００７２】
次に、複合機１００のハードウェアを制御するコントローラのソフトウェアのモジュール構成について図３を参照して説明を行う。
【００７３】
図３は、複合機１００のハードウェアを制御するコントローラのソフトウェアのモジュール構成を示す模式図である。
【００７４】
図３に示すように、ソフトウェアは、ＯＳ（Operating System）３０１、ミドルウェア３０２、機能モジュール３０３、アプリケーション３０４の各階層から構成される。
【００７５】
ＯＳ３０１は、組み込み用とのリアルタイムＯＳで、汎用的なものから複合機１００用に製作されたものなどが使用できる。
【００７６】
ミドルウェア３０２は、ＯＳ３０１と機能モジュール３０３との仲立ちを行う層で、ＯＳ３０１の上位に位置し、ハードウェア固有の影響などを抑え、機能モジュール３０３、アプリケーション３０４といった上位モジュールに共通のＡＰＩ（Application Program Interface）を提供するモジュール群である。このようなソフトウェア階層にすることにより、ハードウェアやＯＳ３０１の変更があっても、機能モジュール３０３レベル、アプリケーション３０４レベルの階層への（実装の変更という）影響を抑えることが出来る。
【００７７】
そして、ミドルウェア３０２は、システムマネジャ３０５とデバイスドライバライブラリ３０６とを有している。
【００７８】
システムマネジャ３０５は、状態・リソース管理、ジョブ管理、ファイル管理、バッファー管理、タイマー管理、各種ログ管理などの複合機１００の中核を管理するモジュールで、これらの管理機能への機能モジュールへの提供も行う。
【００７９】
デバイスドライバライブラリ３０６は、機能モジュール３０３に対して外部システムやハードウェアのもつ機能を提供するモジュール群で、各種プロトコル、各種デバイスのロウレベルの制御を行う。
【００８０】
そして、デバイスドライバライブラリ３０６は、モードライブラリ３０７、メーラ３０８、ドキュメントボリュームライブラリ３０９、アクセサリインタフェース（図面ではアクセサリＩＦと記す）３１０を有する。
【００８１】
モードライブラリ３０７は、モードという概念により、複合機１００の通常の使用状態、メンテナンス用の特殊状態、診断機能を実施する特殊状態などを管理する管理機能を各機能モジュールに提供する。
【００８２】
メーラ３０８は、電子メールのプロトコルを使用する機能を提供する。
【００８３】
ドキュメントボリュームライブラリ３０９は、用紙のプリント枚数、即ち、カウンタ制御の機能を提供する。
【００８４】
アクセサリＩＦ３１０は、火災報知器１１、ＩＣカードリーダ１２とのインタフェースを制御する制御ＡＰＩである。
【００８５】
更に、デバイスドライバライブラリ３０６は、図示しないファクシミリ通信の通信モデム制御、ＬＡＮ制御、ＨＤＤアクセス制御、印刷装置１０１／読取装置１０２／操作装置１０３などとのインタフェース制御を行う図示しないモジュールがある。
【００８６】
機能モジュール３０３は、リクエスト処理、操作装置１０３との通信処理、各種アプリケーションを実現するための画像処理、リモートのデバイスに各種状態などを通知するモジュール群である。
【００８７】
また、機能モジュール３０３は、リクエストマネジャ３２１、印刷装置コントローラ３２２、読取装置コントローラ３２３、スプールコントローラ３２４、デコンポーザ３２５、レポートジェネレーション３２６、ファックスコントローラ３２７、ネットコントローラ３２８、認証マネージャ３２９、HTTP(HyperText Transfer Protocol)コントローラ３３０、SNMP(Simple Network Management Protocol)コントローラ３３１を有する。
【００８８】
リクエストマネジャ３２１は、リクエスト処理と操作装置１０３との通信処理を行う。
【００８９】
印刷装置コントローラ３２２は、印刷装置部１０１の制御を行う。
【００９０】
読取装置コントローラ３２３は、読取装置部１０２の制御を行う。
【００９１】
スプールコントローラ３２４は、ジョブの蓄積の制御を行う。
【００９２】
デコンポーザ３２５は、プリントデータを印刷可能な中間表現への変換処理を行う。
【００９３】
レポートジェネレーション３２６は、レポート作成処理を行う。
【００９４】
ファックスコントローラ３２７は、ファクシミリ通信の通信制御を行う。
【００９５】
ファックスコントローラ３２７は、LANの通信制御を行う。
【００９６】
ネットコントローラ３２８は、LANの通信制御を行う。
【００９７】
認証マネージャ３２９は、認証管理を行う。
【００９８】
HTTPコントローラ３３０は、HTTPによるリモートのデバイスに各種状態などの通知処理を行う。
【００９９】
SNMPコントローラ３３１は、SNMPによるリモートのデバイスに各種状態などの通知処理を行う。
【０１００】
アプリケーション３０４は、コピー、ファックス、スキャナーといったユーザに対して提供する機能処理のまとまりであり、各機能モジュールの処理によって実現される。
【０１０１】
複合機１００におけるジョブの処理の流れとしては、例えば、コピーがユーザから指示されると、その指示を操作装置１０３から受け取ったリクエストマネジャ３２１が、原稿サイズ、用紙サイズなどの指示・設定パラメータをコピージョブ起動情報として設定し、コピーのジョブを生成する。
【０１０２】
システムマネジャ３０５は、状態・リソース管理情報などコピー起動に必要なシステムの情報をチェックして、問題が無ければコピージョブを起動し、待ち状態にする。
【０１０３】
続いてシステムマネジャ３０５は、所定のジョブ・スケジューリング制御に従ってコピーのジョブを動作状態に変更する。
【０１０４】
コピーのジョブの予め定められた処理手順に従って、読取装置部１０２への読み取り指示、スプールコントローラ３２４への読み取った画像データの蓄積指示、印刷装置部１０１へのプリント指示を行うことによりユーザにコピー機能が提供される。
【０１０５】
次に、事務所５で火災が発生して火災報知器１１で検知された場合に、複合機１００で行われる処理について図４のフローチャートで説明する。
【０１０６】
図４は、事務所５で発生した火災が火災報知器１１によって検知された際に行われる、複合機１００の処理を示すフローチャートである。
【０１０７】
まず、事務所５内で火災が発生すると、発生した火災は火災報知器１１で検知される。
【０１０８】
火災報知器１１は、火災発生を検知すると、その火災の発生をベルなどで報知すると共に、イントラネット４を介して、イントラネット４に接続される他の火災報知器１１に対して火災の発生をブロードキャストする。
【０１０９】
火災報知器１１は、火災の発生をブロードキャストする際に、火災を検知した火災報知器１１の位置情報も通知して、通知を受けた側の火災報知器１１に火災発生の位置情報を受信させるようにしてもよい。  そして、ブロードキャストによって火災の発生の通知を受けた側の火災報知器１１では、受信する火災発生の位置情報に基づき、ベル音と共に「○○フロアで火災が発生しました。至急、避難を開始して下さい。」などと火災の発生場所についてのアナウンスが行われてもよい。
【０１１０】
また、火災報知器１１は、火災報知器１１だけでなくイントラネット４に接続される全クライアントＰＣ９にも、火災発生についての通知をブロードキャストしてよい。
【０１１１】
そして、火災報知器１１は、火災発生を検知、或いは、他の火災報知器１１からの火災発生の通知を受信すると、接続される複合機１００に対して火災発生を通知する。
【０１１２】
火災報知器１１から火災発生の通知を受けた複合機１００では（ステップ４０１でＹＥＳ）、ＮＶＲＡＭ１１４に火災発生を書き込む（ステップ４０２）。
【０１１３】
そして、複合機１００は、火災報知器１１からの通知に基づき、表示部１０４に「○○フロアで火災発生。至急、避難して下さい。」などと表示して、複合機１００を操作しているユーザに注意喚起を行う（ステップ４０３）。
【０１１４】
複合機１００は、全実行中のジョブを中止させて、全待ちジョブを一時停止させる（ステップ４０４）。
【０１１５】
全実行中のジョブが中止されることにより、実行中のジョブが外部から受信する通信を行う受信系のジョブである場合には受信中の受信文書がプリントされた後に火災により焼失されるのを防ぐことができ、また、そのジョブを送信した複合機１００に送信した送信側にはエラー表示がされて正常に複合機１００が受信できなかったことが明確になる。
【０１１６】
また、ステップ４０４の全実行中のジョブの中止と全待ちジョブの一時停止は、複合機１００を操作しているユーザに早く逃げてもらいたい為でもあり、さらに重要文書が引き出されることを防ぐ為でもある。
【０１１７】
また、コピー、ＰＣプリント、各種受信プリント（Fax/IP-Fax/iFax）、親展ボックスに関連付けられた各種のプリントジョブは、プリントしても火災により焼失する可能性があるので、プリントさせないようにジョブ制御される。
【０１１８】
各種受信プリント（Fax/IP-Fax/iFax）を受信してプリントしても、火災により焼失する可能性があり、また、ポーリングした文書をプリントしても同様に焼失する可能性がある為、複合機１００は、着信ジョブやポーリングジョブを禁止する（ステップ４０５）。  複合機１００は、ポーリングジョブを禁止することで、自装置ないで管理する文書がイントラネット４を介した外部の端末から不正に引き出しされないようにすることができる。
【０１１９】
着信ジョブの禁止は、着信ジョブを受け付けないように設定変更することにより行われる。それで、例えば、着信ジョブが禁止されている複合機１００にファクシミリ送信を行ったファクシミリ通信機８には「ＢＵＳＹ」等のエラー表示がされて、ファクシミリ送信が受け付けられなかったことがファクシミリ通信機８側に確認される。仮に、複合機１００が着信ジョブを禁止しないでいると、ファクシミリ通信機８が送った注文表が複合機１００でプリントされて通信完了となってしまい、プリントされた内容が火災により焼失してもファクシミリ通信機８で注文表を送った側は、注文表が受理されたと勘違いする場合が予想されてしまう。
【０１２０】
また、複合機１００は、自装置内に記憶する各種データを、データセンタのサーバ６に転送する処理を行う（ステップ４０６）。
【０１２１】
サーバ６に転送される各種データは、アドレス帳、システムデータ、通信ログ、通信管理レポート、ジョブ履歴、未プリントジョブの印刷データ等であるが、他のデータが複合機１００からサーバ６に転送されてもよい。
【０１２２】
また、複合機１００は、自局の全通信手段を通信不能な状態であることを示すオフラインであることを示すプレゼンス文書を作成してプレゼンスサーバ１３に送信する（ステップ４０７）。
【０１２３】
このように、プレゼンス文書を送ることにより、複合機１００のプレゼンス情報がオフラインとなるので、IP-Faxなどのプレゼンスサービスを使った他拠点からの送信・ポーリングがなくなる。
【０１２４】
また、複合機１００は、ステップ４０４で中止または一時停止させたジョブの中で、送信に関するジョブについては、少しでも早く相手先へ送信されるようにジョブ再開処理を行う（ステップ４０８）。
【０１２５】
ステップ４０８で行われる送信系ジョブの再開処理について、図５を参照して説明する。
【０１２６】
図５は、サブルーチンであるステップ４０８で行われる送信系ジョブの再開処理について示したフローチャートである。
【０１２７】
送信系ジョブの再開処理は、図５に示すように、ステップ４０４で中止または一時停止させたジョブの中の送信系ジョブの宛先情報が取得される（ステップ５０１）。
【０１２８】
そして、取得された送信系ジョブの宛先情報が、NAPTRリソースレコードを要求するためのドメイン名に変換されて、ENUMサーバ７に送られる（ステップ５０２）。
【０１２９】
複合機１００は、ENUMサーバ７より、送信したドメイン名に対応するNAPTRリソースレコードを受信する。
【０１３０】
複合機１００は、受信するNAPTRリソースレコードから、送信相手が受信可能な通信手段の種類を取得する（ステップ５０３）。
【０１３１】
そして、取得した通信手段の中から、送信系ジョブの送信時間が最も短くなる通信手段が選択される（ステップ５０４）。
【０１３２】
ここで送信時間が最も短くなる通信手段の選択は、ステップ５０３で取得される各通信手段で送信系ジョブの送信が行われた場合に各々の通信手段で費やされる転送時間がそれぞれ計算されて、最も演奏時間が短いと計算された通信手段が選択される。
【０１３３】
つまり、図６に示す転送時間算出テーブルより算出される転送時間であって、ある通信手段で送信する際に必要となる１頁当たりの転送時間をＡとし、その通信手段で送信する際に必要となる画像変換処理に要する１頁当たりの画像変換時間をＢ、その通信手段で送信する場合の送信系ジョブの頁数をＣとする。
【０１３４】
そうすると、その通信手段で必要な転送時間は、「（Ａ＋Ｂ）×Ｃ」となる。
【０１３５】
このようにして各々の通信手段での転送時間が計算されて、最も転送時間の短い通信手段が選択される（ステップ５０４）。  そして、複合機１００は、選択した通信手段に対応する通信相手のＩＰアドレスを図示しないＤＮＳサーバ（domain name server）より取得する（ステップ５０５）。
【０１３６】
複合機１００は、ステップ４０４で中止または一時停止させた送信系ジョブに対して、最も転送時間が短いとして選択した通信手段で送信するために必要とあらば画像変換処理を行い、ステップ５０５で取得したＩＰアドレス宛にその通信手段で送信する（ステップ５０６）。
【０１３７】
尚、ステップ５０４で選択される通信手段がファクシミリ通信の場合には、ＩＰアドレスを取得するステップ５０５の処理は行われない。
【０１３８】
このように、ステップ５０１からステップ５０６までの処理が行われて、送信系のひとつのジョブの送信が行われると、送信系の他のジョブについても同様にステップ５０１からステップ５０６までの処理が再度行われて送信処理が行われる（ステップ５０７でＹＥＳ）。
【０１３９】
このようにして、一時停止或いは中止した全ての送信系ジョブが送信されるまで、複合機１００は動作を続ける。
【０１４０】
複合機１００は、事務所５の火災拡大により炎状して機能停止となる可能性があるが、機能停止となる直前まで図４、図５を参照して説明した処理を行い、送信系のジョブを送信し続ける。
【０１４１】
このように複合機１００は、送信系のジョブを、通信時間の最も短くなる通信手段によって送信するように処理するので、火災によって複合機１００が機能停止となるまでの間に少しでも多くの送信系ジョブを送信することができる。
【０１４２】
尚、複合機１００は、送信系のジョブを全て送信し終わると、自らシャットダウンするように構成されてもよい。
【０１４３】
尚、「ステップ４０５で説明した着信・ポーリングの禁止」、「ステップ４０６で説明した各種データのサーバ６への転送」、「ステップ４０７で説明したプレゼンス文書の作成と送信」、「ステップ４０８で説明した送信系ジョブの再開処理」の処理は、図４で説明した順序ではなく、それぞれの処理の有無も含めて処理の順序、仔細がシステムデータで規定され、複合機１００を設置する顧客の要望通りにカスタマイズ可能としてもよい。
【０１４４】
このように、画像形成システム１は、火災報知器１１による通知を受けてから実際に火災により動作停止となるまでの間に、種々の処理を行う。
【０１４５】
それで、画像形成システム１は、建物の火災のように、複合機１００のへの被害予測開始から実際に複合機１００に被害があって動作停止となるまでの間にある程度の時間（数秒以上）がある災害に適用可能である。
【０１４６】
画像形成システム１は、天災、人災の区別に限らず、複合機１００が被害に合って動作停止となるまでの数秒後を予測可能な、津波、洪水、台風、ハリケーンやある種の破壊行為に適用可能である。
【０１４７】
画像形成システム１において、火災報知器１１の代わりに、気象庁からの緊急地震速報を受信する緊急地震速報受信端末や、自らが内蔵する地震計によりＰ波を検知して地震発生を予測する地震発生予測装置などを使用してもよい。
【０１４８】
更に、火災報知器１１に代わる適用例として、ガス漏れ検知器を使用してもよい。  飲食店が入居しているビルなどでは、ガス漏れによる爆発、火災発生の可能性もあるので、例えば階下の飲食店でガス漏れが発生した場合、上階にある事務所の人々に早期に避難の必要性を知らせるとともに、上階にある複合機１００で、画像形成システム１で説明した複合機１００の処理を行わせることができる。
【０１４９】
尚、ステップ４０６で説明した、各種データをデータセンタのサーバ６に転送する場合には、転送後には、転送済みのデータを複合機１００より削除するようにして、データの保護を徹底してもよい。
【産業上の利用可能性】
【０１５０】
この発明は、画像形成装置および画像形成システムにおいて利用可能である。
【符号の説明】
【０１５１】
１    画像形成システム
２    インターネット
３    ＰＳＴＮ
４    イントラネット
５    事業所
６    サーバ
７    ＥＮＵＭサーバ
８    ファクシミリ通信機
１１    火災報知器
１２    ＩＣカードリーダ
１３    プレゼンスサーバ
１００    複合機
【図１】
2011010067.tif 000003
【図２】
2011010067.tif 000004
【図３】
2011010067.tif 000005
【図４】
2011010067.tif 000006
【図５】
2011010067.tif 000007
【図６】
2011010067.tif 000008